(57)【要約】      （修正有）【課題】複数の遮蔽部材同士の間を人間が通過するにあたり、人体の一部が遮蔽部材に接触することを抑制できる仕切り装置を提供する。【解決手段】水平方向に設けられる支持棒１１及び支持リング１２と、支持棒及び支持リングから吊り下げられて空間Ｂ１、Ｂ２を仕切る複数のカーテン１３、１４と、を有し、支持棒は、直線状に延ばされた直線部１７、１８と、直線部に接続されて湾曲された湾曲部２０、２１と、を有し、複数のカーテンのそれぞれの一部が湾曲部から吊り下げられていることにより、複数のカーテン同士の間に隙間Ｅ１、Ｅ２が設けられている仕切り装置１０を構成した。【選択図】図２
0003232813.tif 000002
【実用新案登録請求の範囲】
【請求項１】
水平方向に設けられる支持部と、
前記支持部から吊り下げられて空間を仕切る複数の遮蔽部材と、
を有し、
前記支持部は、
水平な平面視で直線状に延ばされた直線部と、
前記直線部に接続されて前記平面視で湾曲された湾曲部と、
前記複数の遮蔽部材のうち何れか１つの前記遮蔽部材の一部が前記湾曲部から吊り下げられ、かつ、前記複数の遮蔽部材同士の間に設けられた隙間と、
を有する、仕切り装置。
【請求項２】
請求項１記載の仕切り装置において、
前記支持部は、
前記平面視で直線状に、かつ、同心状に設けられる第１直線部及び第２直線部と、
前記第１直線部に接続され、かつ、前記平面視で湾曲された第１湾曲部と、
前記第２直線部に接続され、かつ、前記平面視で湾曲された第２湾曲部と、
を有し、
前記第１湾曲部は、前記平面視で前記第１直線部から所定の向きで膨らむように設けられ、
前記第２湾曲部は、前記平面視で前記第２直線部から前記所定の向きとは逆向きに膨らんで設けられ、
前記遮蔽部材は、
前記第１直線部及び前記第１湾曲部から吊り下げられた第１遮蔽部材と、
前記第２直線部及び前記第２湾曲部から吊り下げられた第２遮蔽部材と、
を含む、仕切り装置。
【請求項３】
請求項１または２記載の仕切り装置において、
前記支持部を支持するように鉛直方向に延ばされた支柱が設けられている、仕切り装置。
【請求項４】
請求項３記載の仕切り装置において、
前記支柱は、前記鉛直方向に伸縮可能である、仕切り装置。
【請求項５】
請求項１乃至４の何れか１項記載の仕切り装置において、
前記直線部は、前記水平方向に伸縮可能である、仕切り装置。
【請求項６】
請求項１乃至５の何れか１項記載の仕切り装置において、
前記支柱を支持台に固定する取り付け機構が設けられている、仕切り装置。
【請求項７】
請求項１乃至６の何れか１項記載の仕切り装置において、
前記支持部は、折り畳み可能である、仕切り装置。
【請求項８】
請求項１乃至７の何れか１項記載の仕切り装置において、
前記遮蔽部材は、手の力で変形可能な可撓性を有するカーテンである、仕切り装置。
【請求項９】
請求項８記載の仕切り装置において、
前記カーテンの一部を上に持ち上げる持ち上げ装置が設けられている、仕切り装置。
【考案の詳細な説明】
【技術分野】
【０００１】
本開示は、遮蔽部材を吊り下げて空間を仕切る仕切り装置に関する。
【背景技術】
【０００２】
遮蔽部材を吊り下げて空間を仕切る仕切り装置の一例が、特許文献１に記載されている。特許文献１には、スリットを有するように左右に設けられた複数の遮蔽部材としてのカーテンと、複数のカーテンのそれぞれの対向する縁部に設けられる磁石と、複数のカーテンを支持するレールと、が記載されている。
【先行技術文献】
【特許文献】
【０００３】
【特許文献１】特開２０２０−８１０３３号公報
【考案の概要】
【考案が解決しようとする課題】
【０００４】
本願考案者は、特許文献１に記載されているように、複数の遮蔽部材同士が重なっている箇所を、人間が通過しようとする場合、複数の遮蔽部材同士が重なっている箇所の端を手で掴んでまくり上げるか、または、一方の遮蔽部材を手で掴んでレールに沿って移動させることにより、遮蔽部材同士の間に隙間を形成する（開く）必要があり、衛生的ではない、という課題を認識した。
【０００５】
本開示の目的は、複数の遮蔽部材同士の間を人間が通過するにあたり、人体の一部が遮蔽部材に接触することを抑制可能な仕切り装置を提供することである。
【課題を解決するための手段】
【０００６】
本開示の仕切り装置は、水平方向に設けられる支持部と、前記支持部から吊り下げられて空間を仕切る複数の遮蔽部材と、を有し、前記支持部は、水平な平面視で直線状に延ばされた直線部と、前記直線部に接続されて前記平面視で湾曲された湾曲部と、を有し、前記複数の遮蔽部材のうち何れか１つの前記遮蔽部材の一部が前記湾曲部から吊り下げられていることにより、前記複数の遮蔽部材同士の間に隙間が設けられている。
【考案の効果】
【０００７】
本開示の仕切り装置によれば、複数の遮蔽部材同士の間を人間が通過するにあたり、人体の一部が遮蔽部材に接触することを抑制できる。
【図面の簡単な説明】
【０００８】
【図１】仕切り装置の実施例１を示す正面図である。
【図２】図１の仕切り装置を上から見た平面図である。
【図３】（Ａ）は、仕切り装置の実施例２を示す正面図、（Ｂ）は、図３（Ａ）の仕切り装置を机に固定する例を示す部分的な正面断面図である。
【図４】（Ａ），（Ｂ），（Ｃ）は、支持棒の変更例を示す平面図である。
【図５】（Ａ），（Ｂ）は、仕切り装置の実施例３を示す正面図である。
【考案を実施するための形態】
【０００９】
以下、仕切り装置のいくつかの一実施形態を図面に基づいて説明する。仕切り装置の遮蔽部材により空間が仕切られると、一方の空間に居る人間の呼気、咳、くしゃみ等による飛沫が、他方の空間に侵入することを抑制できる。したがって、ウィルスまたは細菌等の病原体による感染症の対策に寄与でき、安全で衛生的である。仕切り装置は、医療現場（診察、検査、看護、介護、病棟、リハビリテーション）、職場、学校、運動会、試験、催し物、試験等の教育現場、講演、映画、多目的等、どのような場所、環境でも利用可能である。また、仕切り装置を構成する要素が折り畳みが可能であれば、バッグまたはケースに入れて持ち運びが可能である。さらに、仕切り装置を構成する部品が分解可能であれば、１個ずつの部品は軽量であり、運搬しやすい。
【００１０】
仕切り装置は、２つの空間を仕切る（区画する、隔てる）ために遮蔽部材を支持する、具体的には、吊り下げるものである。各図において、同一の要素、同一の構造は、同一の符号を付し、重複する説明を省略する。
【００１１】
＜実施例１＞
図１は、仕切り装置１０の正面図、図２は、仕切り装置１０を上から見た平面図である。仕切り装置１０は、支持棒１１、支持リング１２、遮蔽部材としてのカーテン１３，１４を有する。支持棒１１及び支持リング１２は、カーテン１３，１４を支持する要素である。支持棒１１及び支持リング１２は、カーテン１３，１４の重量に耐えられる材料で製造されている。支持棒１１及び支持リング１２は、例えば、金属製、スチール製、合成樹脂製、木材製、アルミニウム製、ステンレス製等の何れでもよい。
【００１２】
支持棒１１は、天井１５、壁、床１６の何れかによって、直接、または、間接に支持されている。仕切り装置１０の正面視及び平面視の何れにおいても、支持棒１１は、略直線状である。仕切り装置１０の平面視とは、仕切り装置１０を上から見ることである。支持棒１１は、略水平に設けられる。仕切り装置１０の平面視で、支持リング１２は、略円形または略環状である。仕切り装置１０の平面視で、支持リング１２の中心点Ａ１は、支持棒１１の幅方向の中央に位置する。支持棒１１は、第１直線部１７、第２直線部１８及び第３直線部１９を有する。第１直線部１７、第２直線部１８及び第３直線部１９は、中心線Ｄ１を中心として同心状に設けられている。
【００１３】
仕切り装置１０の平面視で、第１直線部１７と第２直線部１８との間に、第３直線部１９及び支持リング１２が位置する。仕切り装置１０の平面視で、第１直線部１７，第２直線部１８及び第３直線部１９は、それぞれ直線状に延ばされている。仕切り装置１０の平面視で、支持リング１２は、支持棒１１を隔てて第１湾曲部２０及び第２湾曲部２１を有する。仕切り装置１０の平面視で、第１湾曲部２０及び第２湾曲部２１は、中心点Ａ１を中心として円弧状に湾曲されている。第１湾曲部２０及び第２湾曲部２１は、円弧状とは異なる形状に湾曲されていてもよい。仕切り装置１０の平面視で、第１湾曲部２０及び第２湾曲部２１は、中心点Ａ１を中心として略１８０度の範囲にそれぞれ配置されている。
【００１４】
支持棒１１と支持リング１２とは、別々の要素であり、支持棒１１と支持リング１２とが、連結部２２によって連結されている。連結部２２は、金属製、スチール製、合成樹脂製、布製等の何れでもよい。連結部２２は、ねじ部材を締め付けて支持棒１１と支持リング１２とを固定するもの、金属製または合成樹脂製のＣ字形状のクランプで固定するもの、面ファスナー（マジックテープ（登録商標））を有するベルトで固定するもの、結束バンドで固定するもの等のうちの何れでもよい。また、支持棒１１及び支持リング１２が共に磁性材料製、例えば鉄製であれば、連結部２２は磁石であってもよい。
【００１５】
さらに、支持棒１１及び支持リング１２が共に金属製、スチール製、例えば、鉄製であれば、連結部２２は溶接または半田付けにより構成されていてもよい。連結部２２は、支持棒１１と支持リング１２とを完全に固定するものでもよいし、支持棒１１と支持リング１２とを着脱可能に連結するものでもよい。図２では、上下方向、つまり、高さ方向において、支持棒１１が支持リング１２の上に設けた例が示されている。なお、高さ方向において、支持棒１１が支持リング１２の下に設けられていてもよい。
【００１６】
カーテン１３，１４は、人間の手で変形可能な可撓性を有し、かつ、折り曲げ及び折り畳みが可能な材質で構成されている。カーテン１３，１４の材質は、例えば、ポリエステル、レーヨン、アクリル、綿、麻等のうちの何れでもよい。カーテン１３，１４は、複数の吊り下げ具２３によって、支持棒１１及び支持リング１２によりそれぞれ支持されている。吊り下げ具２３は、例えば、フックまたはリングを有し、フックまたはリングが、支持棒１１及び支持リング１２に掛けられる構成を有する。また、吊り下げ具２３は、面ファスナーを有する帯状体でもよい。
【００１７】
さらに、吊り下げ具２３は、永久磁石を有していてもよい。支持棒１１及び支持リング１２が磁性材料製であれば、永久磁石と支持棒１１との間、永久磁石と支持リング１２との間に、カーテン１３，１４をそれぞれ別々に挟み、支持棒１１及び支持リング１２により、カーテン１３，１４を支持可能である。
【００１８】
さらに、支持棒１１及び支持リング１２に取り付けられ、かつ、支持棒１１及び支持リング１２に沿って移動可能な吊り下げ具２３を複数設け、全ての吊り下げ具２３に設けたクランプにより、カーテン１３，１４を、それぞれ挟み付けてもよい。また、吊り下げ具２３の構成及び構造に関わりなく、吊り下げ具２３は、支持棒１１及び支持リング１２に沿って移動可能である。なお、全ての吊り下げ具２３が同じ構造を有していてもよいし、構成が異なる２種類以上の吊り下げ具２３が用いられていてもよい。吊り下げ具２３が何れの構造を有している場合でも、カーテン１３，１４は、自重で下方に垂れ下がる。カーテン１３，１４の高さ方向の寸法、水平方向の寸法、厚さ、材質、色（有色、透明、半透明を含む）は、用途及び使用環境等に応じて変更可能である。
【００１９】
図１のように、仕切り装置１０を平面視すると、支持棒１１を隔てて第１空間Ｂ１と第２空間Ｂ２とが存在する。仕切り装置１０を平面視すると、第１湾曲部２０は、所定方向である第１空間側Ｂ１へ向けて膨らんでいる。仕切り装置１０を平面視すると、第２湾曲部２１は、所定方向とは逆向きである第２空間側Ｂ２へ向けて膨らんでいる。カーテン１３は、第１直線部１７及び第１湾曲部２０に亘って配置された複数の吊り下げ具２３によって支持される。カーテン１４は、第２直線部１８及び第２湾曲部２１に亘って配置された複数の吊り下げ具２３によって支持される。
【００２０】
カーテン１３の第１湾曲部２０における端部及び中心点Ａ１を通る直線Ｃ１と、支持棒の中心線Ｄ１との間に形成される角度θ１が、略１２０度である例が示されている。第２カーテン１２の第２湾曲部２１における端部及び中心点Ａ１を通る直線Ｃ１と、中心線Ｄ１との間に形成される角度θ２が、略１２０度である例が示されている。角度θ１，θ２は、共に９０度を超え、かつ、共に１８０度未満である。
【００２１】
そして、図１のように仕切り装置１０を平面視すると、カーテン１３の一部とカーテン１４の一部とが、共に円弧状に湾曲されて支持される。カーテン１３のうち第１湾曲部２０に位置する端部２５と、第２カーテン１２のうち第２直線部１８に吊り下げられている箇所との間に、所定の隙間Ｅ１が存在する。また、カーテン１４のうち第２湾曲部２１に位置する端部２６と、カーテン１３のうち第１直線部１７に吊り下げられている箇所との間に、所定の隙間Ｅ２が存在する。角度θ１が大きいほど、隙間Ｅ１が大きくなる。角度θ２が大きいほど、隙間Ｅ２が大きくなる。また、支持リング１２の直径が大きいほど、隙間Ｅ１，Ｅ２が大きくなる。隙間Ｅ１，Ｅ２は、人間２７が１人で通れる幅、または、車椅子と介助者が通れる幅等に設定可能である。支持リング１２の直径は、例えば５０ｃｍ乃至１００ｃｍの範囲内で設定可能である。
【００２２】
したがって、例えば、健康診断、診察等の際に、第１空間Ｂ１と第２空間Ｂ２との間で、隙間Ｅ１，Ｅ２を通って行き来することが可能、つまり、カーテン１３の端部２５とカーテン１４の端部２６との間に、人間２７が通るスペースを確保できる。また、人間２７の一部が、カーテン１３及びカーテン１４に接触することを回避でき、衛生的である。また、第１空間Ｂ１が診察室であり、第２空間Ｂ２が待機室であると、仕切り装置１０の平面視で、隙間Ｅ１，Ｅ２が重なる位置以外の位置では、第２空間Ｂ２から第１空間Ｂ１は見えにくいため、視覚的なプライバシーを確保可能である。さらに、第１空間Ｂ１と第２空間Ｂ２との間で、隙間Ｅ１，Ｅ２を介して換気が可能である。
【００２３】
なお、図１では、隙間Ｅ１が、中心点Ａ１の右上に位置し、隙間Ｅ２が、中心点Ａ１の左下に位置しているが、隙間Ｅ１が、中心点Ａ１の左上に位置し、隙間Ｅ２が、中心点Ａ１の右下に位置してもよい。この場合、カーテン１３の一部が、第２湾曲部２１及び吊り下げ具２３によって支持され、カーテン１４の一部が、第１湾曲部２０及び吊り下げ具２３によって支持される。さらに、カーテン１３及びカーテン１４を完全に閉めて、図１で角度θ１，θ２を共に零度にすると、カーテン１３及びカーテン１４によって環状に囲まれた空間を形成することも可能である。さらに、角度θ１，θ２は、用途に応じて変更可能である。
【００２４】
なお、図１に示す仕切り装置１０の平面視で、支持棒１１に対して略直角な補助棒を設け、支持棒１１と補助棒とを十字形状に交差させ、支持棒１１及び補助棒により支持リング１２を支持してもよい。この場合、支持棒１１と補助棒との交差箇所を、連結部２２で固定すると、より固定力を増加できる。さらに、カーテン１３を支持する吊り下げ具２３を、第１湾曲部２０ではなく、第３直線部１９に設けてもよい。さらに、カーテン１４を支持する吊り下げ具２３を、第２湾曲部２１ではなく、第３直線部１９に設けてもよい。つまり、カーテン１３またはカーテン１４の何れか一方のみを、図１で円弧状に湾曲させて支持することも可能である。
【００２５】
さらに、支持リング１２を支持棒１１に取り付けるのではなく、既存のカーテンレール、または天井１５によってロープ、鎖等で吊り下げることも可能である。そして、既存のカーテンレールに支持された２枚のカーテンを、第１湾曲部２０及び第２湾曲部２１でそれぞれ円弧状に固定することも可能である。この場合、マグネット、紐、クリップ等を用いて第１湾曲部２０及び第２湾曲部２１が、カーテンを別々に支持する。このように構成した場合も、図１と同様に２枚のカーテンの一部を円弧状に支持可能であり、同様の効果を得ることができる。
【００２６】
さらに、支持リング１２は、円周方向に分割された複数の構成片、例えば、４パーツ、６パーツ等を有していてもよい。複数の構成片は、互いに取り付け及び取り外しが可能である。複数の構成片を分解して片付けたり、複数の構成片をバッグまたはケースに収納することも可能である。
【００２７】
＜実施例２＞
図３（Ａ）は、仕切り装置６０の正面図である。仕切り装置６０は、支持棒６１、単数の支柱６２、カーテン１３を有する。支持棒６１及び支柱６２は、それぞれ金属製、スチール製、合成樹脂製、木材製、アルミニウム製、ステンレス製等の何れでもよい。支柱６２は、鉛直方向、つまり、上下方向に沿って延ばされている。支柱６２は、床１６に接触する脚部６３と、脚部６３の上に接続された基部６４と、基部６４に接続された軸部６５と、を有する。脚部６３は、例えば、複数本の脚を有する。基部６４は円筒形状であり、軸部６５の一部が基部６４の内部に挿入されている。複数本の脚は、折り畳みが可能であってもよい。
【００２８】
基部６４にスリーブ６６が取り付けられており、スリーブ６６を回転及び停止させることにより、軸部６５が基部６４に対して中心線Ｆ１に沿った方向に固定された状態と、軸部６５が基部６４に対して中心線Ｆ１に沿った方向に移動可能な状態とを、切り替え可能である。つまり、支柱６２は、中心線Ｆ１に沿った方向に伸縮可能であり、中心線Ｆ１に沿った方向の全長、つまり、高さを調整可能である。
【００２９】
支持棒６１は、ホルダ７３によって軸部６５で支持されている。具体的には、支持棒６１の中心線Ｆ２に沿った方向の端部において、片持ち状態で支持されている。ホルダ７３は、金属製、スチール製、合成樹脂製等の何れでもよい。ホルダ７３は、ねじ部材を締め付けて軸部６５と支持棒６１とを固定するもの、金属製または合成樹脂製のＣ字形状のクランプで固定するもの、面ファスナーを有するベルトで固定するもの、結束バンドで固定するもの等のうちの何れでもよい。さらに、支持棒６１及び軸部６５が共に金属製、スチール製、例えば、鉄製であれば、ホルダ７３は溶接部であってもよい。ホルダ７３は、支持棒６１と軸部６５とを完全に固定する構造でもよいし、支持棒６１と軸部６５とを着脱可能にする構造でもよい。さらに、ホルダ７３が軸部６５に取り付けられた状態で、固定部７が、軸部６５に対して中心線Ｆ１に沿った方向に移動可能であり、かつ、中心線Ｆ１に沿った方向の所定位置で固定される構成であってもよい。
【００３０】
支持棒６１は、軸部６５に取り付けられた状態で、略水平に設けられる。仕切り装置８０の平面視で、支持棒６１は略直線状に延ばされている。カーテン１３は、複数の吊り下げ具２３を用いて支持棒６１によって支持されている。複数の吊り下げ具２３は、支持棒６１の中心線Ｆ２に沿った方向に複数設けられている。複数の吊り下げ具２３は、支持棒６１に対して中心線Ｆ２に沿った方向に移動可能である。
【００３１】
仕切り装置６０は、例えば、医療現場で医師が患者を診察する場合等において、医師が位置する空間と、患者が位置する空間とを、カーテン１３で隔てる（区画する）ことにより、感染症対策の一助になる。仕切り装置６０は、自立した簡易パテーションとしての役割を果たす。医師と患者とが、カーテン１３を隔てて所定の距離を保持でき、衛生的である。医師は、問診、触診等にあたり、カーテン１３の下へ手を差し入れたり、カーテン１３の一部を少し持ち上げたりすることもできる。なお、仕切り装置６０は床１６に置かれる使用方法に代えて、仕切り装置６０を机、テーブルの上等において使用することも可能である。さらに、複数、例えば、２つの支柱６２を間隔をおいて配置し、２つの支柱６２で支持棒６１を支持することも可能である。
【００３２】
図３（Ｂ）は、図３（Ａ）の支柱６２を机７１に固定して使用する取り付け機構７２を設けた例である。取り付け機構７２は、金具６７、可動軸６８、ノブ６９を有する。基部６４にコ字形の金具６７が固定されている。金具６７は雌ねじ穴を有する。可動軸６８の外周面に雄ねじ部が設けられている。雄ねじ部は雌ねじ穴に挿入されている。ノブ６９は、可動軸６８に固定されており、人間が手でノブ６９を回転させると可動軸６８が回転し、かつ、可動軸６８が中心線Ｆ１に沿った方向に移動する。可動軸６８の先端に押し付け部７０が固定されており、押し付け部７０と金具６７とにより机７１を挟むと、支柱６２が机７１に固定される。ノブ６９を操作して押し付け部７０を机７１から離間させると、支柱６２を机７１から取り外すことが可能である。取り付け機構７２は、支柱６２を磁石で机７１に固定する構造、クリップで机７１を挟む構造でもよい。取り付け機構７２は、机７１の平面方向に沿って複数設けられていてもよい。
【００３３】
次に、支持棒６１の変更例を説明する。支持棒６１は、支柱６２と同様の構成により、中心線Ｆ２に沿って略水平方向に伸縮可能な構成であってもよい。また、支持棒６１は、図４（Ａ）のように平面視でＬ字形に屈曲された形状、図４（Ｂ）のように平面視でコ字形に屈曲された形状であってもよい。さらに、図４（Ｃ）のように、支持棒６１が連結部６１Ａを介して連結された複数の構成片６１Ｂを有し、複数の構成片６１Ｂ同士が連結部６１Ａで折り畳み可能であってもよい。
【００３４】
また、直線状の支持棒６１と、Ｌ字形の支持棒６１とを連結して組み立てられる構成であってもよい。支持棒６１が平面視でＬ字形であると、人間の前と、左右いずれか一方でカーテン１３を吊り下げることが可能である。このような構成を有する仕切り装置６０を縦横に複数列ずつ配置すると、学校、教育、仕事等の環境において、複数の人間が着席する場合でも、人間同士を相互に仕切ることができる。さらに、平面視で形状が異なる複数の構成片同士を組み合わせて使用することも可能である。さらに、支持棒６１がＬ字形であると、患者が寝るベッドの横に仕切り装置１０を置くことで、患者と医師とをカーテン１３によって隔てるような使用方法も可能である。
【００３５】
さらに、支柱６２の軸部６５が複数の構成片を有しており、複数の構成片同士が連結及び分解可能であってもよい。支柱６２に支持棒６１が挿入される取付穴が、中心線Ｆ１に沿った方向に間隔をおいて複数設けられていてもよい。このように構成されていると、支持棒６１を支柱６２に取り付ける高さを任意に変更可能である。さらに、基部６４は、脚部６３に対して中心線Ｆ１に沿った方向に移動及び固定可能であってもよい。脚部６３は、複数の脚を有するものの他、馬蹄型であってもよい。また、脚部６３と基部６４とが、取り付け及び取り外し可能であってもよい。
【００３６】
さらに、カーテン１３が支持棒６１により支持され、かつ、支持棒６１が支柱６２から取り外されている状態で、カーテン１３を支持棒に巻き付けつけることも可能である。なお、図３（Ａ）または図３（Ｂ）に示された支柱６２を２つ以上用いて、図１及び図２に示された支持棒１１，１２の直線部１７，１８を、それぞれ支持することも可能である。
【００３７】
＜実施例３＞
図５（Ａ）及び図５（Ｂ）は、仕切り装置８０の他の例を示す正面図である。仕切り装置８０は、支持棒６１と、支持棒６１に吊り下げ具２３を介して取り付けられたカーテン１３，１４と、支持棒６１に設けられた滑車８１と、カーテン１４に取り付けられた操作部材である紐８２と、を有する。滑車８１は、支持棒６１によって回転可能に支持されている。紐８２は、滑車８１に掛けられている。
【００３８】
紐８２の長さ方向の一部は、複数の支持具、例えばクリップ８３により、カーテン１４の端部２６の近くに固定されている。クリップ８３を取り外すと、クリップ８３がカーテン１４を掴む位置を変更可能である。紐８２の長さ方向のうち、滑車８１を隔ててクリップ８３が取り付けられている箇所とは反対側の箇所に、掴み部８４が設けられている。滑車８１及び紐８２により、持ち上げ装置８５が構成されている。
【００３９】
紐８２に対して牽引力が加えられていない場合、カーテン１４は自重で図５（Ａ）のように垂れ下がった初期状態である。このため、カーテン１４の端部２６とカーテン１３の端部２５とが重なっており、２つの空間が仕切られている。したがって、一方の空間からは、他方の空間が見えない。なお、紐８２のうち、滑車８１と掴み部８４との間に応答する箇所は、自重で垂れ下がっているか、または、掴み部８４が壁または支柱に掛けて止められている。
【００４０】
これに対して、掴み部８４を手で掴んで紐８２を引くと、滑車８１が回転し、かつ、カーテン１４は、図５（Ｂ）のように紐８２によって持ち上げられる。このため、カーテン１４の端部２６とカーテン１３の端部２５とが一部で離間され、端部２６と端部２５との間に隙間が生じる。したがって、一方の空間から他方の空間を見ることが可能である。また、端部２６と端部２５との間を患者が通行可能である。人間の一部がカーテン１３，１４に接触することを回避でき、衛生的であり、かつ、感染対策に寄与できる。端部２６と端部２５との間に隙間量は、カーテン１４の持ち上げ量に応じて定まる。カーテン１４の持ち上げ量は、状況に応じて任意に変更可能である。なお、掴み部８４から手を離すと、カーテン１４は自重で下降し、かつ、滑車８１が回転され、かつ、カーテン１４は図５（Ａ）の初期状態に戻る。
【００４１】
さらに、紐８２の長さ方向で掴み部８４の反対側に位置する末端のクリップ８３と、紐８２とを固定し、末端のクリップ８３以外のクリップ８３が紐８２に対して移動可能に構成されていてもよい。この構成であると、紐８２が牽引されると、末端のクリップ８３が移動してカーテン１４が開かれ、紐４２は、末端のクリップ８３以外のクリップに対して移動する。そして、末端のクリップ８３が他のクリップ８３に接触した時点で、掴み部８４を停止させることが可能である。以下、紐４２を牽引し、クリップ８３同士が接触した時点で、掴み部８４を停止させることが可能である。したがって、カーテン１４が一度に全開することを防止して、カーテン１４を段階的に開くことが可能である。なお、カーテン１４を閉じる場合も、カーテン１４が一度に全閉することを防止して、カーテン１４を段階的に閉じることが可能である。すなわち、クリップ８３は、カーテン１４を段階的に開閉させるための爪のような働きをする。さらに、全てのクリップ８３に永久磁石を取り付けておくことも可能である。この構成であると、クリップ８３同士が直接接触することを、永久磁石同士の反発力で防ぎ、クリップ８３同士の間隔を確保可能である。
【００４２】
さらに、紐８２に掴み部８４を設けることに代えて、巻取り装置を設けることも可能である。巻取り装置は、紐８２が巻かれるプーリと、プーリに取り付けられるハンドルと、を有する。また、巻取り装置は、プーリの回転を停止させるロック機構を備えていてもよい。さらに、巻取り機構は、手動で紐８２に牽引力を付加する構造の他、電動モータによって紐８２に牽引力を付加する構造でもよい。さらに、持ち上げ装置８５は、カーテン１３を持ち上げるために設けることも可能である。また、持ち上げ装置８５は、仕切り装置１０，６０に設けることも可能である。
【００４３】
本実施形態で説明された事項の技術的意味の一例は、次の通りである。仕切り装置１０，６０，８０は、仕切り装置の一例である。支持棒１１及び支持リング１２は、支持部の一例である。カーテン１３，１４は、遮蔽部材の一例である。直線部１７は、直線部及び第１直線部の一例である。第１湾曲部２０は、湾曲部及び第１湾曲部の一例である。直線部１８は、直線部及び第２直線部の一例である。第２湾曲部２１は、湾曲部及び第２湾曲部の一例である。隙間Ｅ１，Ｅ２は、隙間の一例である。カーテン１３は、第１遮蔽部材の一例であり、カーテン１４は、第２遮蔽部材の一例である。支柱６２は、支柱の一例である。取り付け機構７２は、取り付け機構の一例である。机７１、テーブルは、支持台の一例である。持ち上げ装置８５は、持ち上げ機構の一例である。図２は、仕切り装置の平面視の一例である。
【００４４】
本実施形態で説明した仕切り装置は、実施形態で図面を用いて説明したものに限定されない。例えば、遮蔽部材は、カーテンの他、合成樹脂製のシート、合成樹脂製のフィルム、合成樹脂製のプレート等を用いることも可能である。合成樹脂としては、フッ素樹脂、ビニール、ポリエチレン等を選択可能である。持ち上げ装置の紐に代えてロープ、ワイヤー等を用いてもよい。
【符号の説明】
【００４５】
１０，６０，８０…仕切り装置、１１…支持棒、１２…支持リング、１３，１４…カーテン、１７，１８…直線部、２０…第１湾曲部、２２…第２湾曲部、６２…支柱、７１…机、７２…取り付け機構、８５…持ち上げ装置、Ｅ１，Ｅ２…隙間
【図１】
0003232813.tif 000003
【図２】
0003232813.tif 000004
【図３】
0003232813.tif 000005
【図４】
0003232813.tif 000006
【図５】
0003232813.tif 000007